(57)【要約】【課題】光源からの光を空間光変調器および投影レンズを介して灯具前方へ向けて照射するように構成された車両用灯具において、空間光変調器を投影レンズに対して位置精度良く配置可能とする。【解決手段】投影レンズ６２を支持するレンズホルダ６４が、空間光変調器３２を支持するブラケット４０にネジ締め固定された構成とする。その際、レンズホルダ６４をブラケット４０に対して左右方向に位置決めするための位置決めピン６４Ｂｂが、ブラケット４０に形成された灯具前後方向に延びる長孔４０Ｂｃに挿入された構成とする。そして、位置決めピン６４Ｂｂを長孔４０Ｂｃに挿入して灯具前後方向に適宜移動させた状態でネジ締め固定を行うことにより、レンズホルダ６４がブラケット４０に対して左右方向に変位するのを規制した上で、投影レンズ６２と空間光変調器３２との灯具前後方向の位置関係を微調整することを可能とする。【選択図】図３
2019185971.tif 000002
【特許請求の範囲】
【請求項１】
光源からの光を空間光変調器および投影レンズを介して灯具前方へ向けて照射するように構成された車両用灯具において、
上記投影レンズを支持するレンズホルダが、上記空間光変調器を支持するブラケットに対して機械的締結により固定されており、
上記レンズホルダに、該レンズホルダを上記ブラケットに対して灯具前後方向と直交する方向に位置決めするための位置決め用突起部が形成されており、
上記ブラケットに、灯具前後方向に延びる長孔が形成されており、
上記長孔に上記位置決め用突起部が挿入された状態で、上記機械的締結による固定が行われている、ことを特徴とする車両用灯具。
【請求項２】
光源からの光を空間光変調器および投影レンズを介して灯具前方へ向けて照射するように構成された車両用灯具において、
上記投影レンズを支持するレンズホルダが、上記空間光変調器を支持するブラケットに対して機械的締結により固定されており、
上記ブラケットに、上記レンズホルダを該ブラケットに対して灯具前後方向と直交する方向に位置決めするための位置決め用突起部が形成されており、
上記レンズホルダに、灯具前後方向に延びる長孔が形成されており、
上記長孔に上記位置決め用突起部が挿入された状態で、上記機械的締結による固定が行われている、ことを特徴とする車両用灯具。
【請求項３】
上記位置決め用突起部が、灯具前後方向に間隔をおいて配置された２本の位置決めピンで構成されている、ことを特徴とする請求項１または２記載の車両用灯具。
【請求項４】
上記位置決め用突起部が、灯具前後方向に延びる立壁で構成されている、ことを特徴とする請求項１または２記載の車両用灯具。
【請求項５】
上記位置決め用突起部が、上記長孔の周囲において上記ブラケットまたは上記レンズホルダにカシメ固定されている、ことを特徴とする請求項１〜４いずれか記載の車両用灯具。
【請求項６】
上記機械的締結による固定が、上記投影レンズの左右両側の前後２箇所において行われており、
上記位置決め用突起部および上記長孔が、上記投影レンズの左右両側の各々における上記前後２箇所の間にそれぞれ配置されている、ことを特徴とする請求項１〜５いずれか記載の車両用灯具。
【発明の詳細な説明】
【技術分野】
【０００１】
本願発明は、光源からの光を空間光変調器および投影レンズを介して灯具前方へ向けて照射するように構成された車両用灯具に関するものである。
【背景技術】
【０００２】
従来より、車両用灯具の構成として、例えば「特許文献１」に記載されているように、光源からの光を空間光変調器および投影レンズを介して灯具前方へ向けて照射するように構成されたものが知られている。
【先行技術文献】
【特許文献】
【０００３】
【特許文献１】特開２０１６−９１９７６号公報
【発明の概要】
【発明が解決しようとする課題】
【０００４】
このような車両用灯具においては、空間光変調器において投影レンズに到達する光の空間的な分布を制御することにより、種々の配光パターンを精度良く形成することが可能である。
【０００５】
しかしながら、これを実現するためには、空間光変調器を投影レンズに対して位置精度良く配置することが必要となる。
【０００６】
本願発明は、このような事情に鑑みてなされたものであって、光源からの光を空間光変調器および投影レンズを介して灯具前方へ向けて照射するように構成された車両用灯具において、空間光変調器を投影レンズに対して位置精度良く配置することができる車両用灯具を提供することを目的とするものである。
【課題を解決するための手段】
【０００７】
本願発明は、投影レンズの支持構造に工夫を施すことにより、上記目的達成を図るようにしたものである。
【０００８】
すなわち、本願第１の発明に係る車両用灯具は、
光源からの光を空間光変調器および投影レンズを介して灯具前方へ向けて照射するように構成された車両用灯具において、
上記投影レンズを支持するレンズホルダが、上記空間光変調器を支持するブラケットに対して機械的締結により固定されており、
上記レンズホルダに、該レンズホルダを上記ブラケットに対して灯具前後方向と直交する方向に位置決めするための位置決め用突起部が形成されており、
上記ブラケットに、灯具前後方向に延びる長孔が形成されており、
上記長孔に上記位置決め用突起部が挿入された状態で、上記機械的締結による固定が行われている、ことを特徴とするものである。
【０００９】
また、本願第２の発明に係る車両用灯具は、
光源からの光を空間光変調器および投影レンズを介して灯具前方へ向けて照射するように構成された車両用灯具において、
上記投影レンズを支持するレンズホルダが、上記空間光変調器を支持するブラケットに対して機械的締結により固定されており、
上記ブラケットに、該ブラケットを上記レンズホルダに対して灯具前後方向と直交する方向に位置決めするための位置決め用突起部が形成されており、
上記レンズホルダに、灯具前後方向に延びる長孔が形成されており、
上記長孔に上記位置決め用突起部が挿入された状態で、上記機械的締結による固定が行われている、ことを特徴とするものである。
【００１０】
上記「空間光変調器」は、投影レンズに到達する光の空間的な分布を制御することが可能なものであれば、その具体的な構成は特に限定されるものではなく、例えば、デジタルマイクロミラーを用いたものや透過型液晶あるいは反射型液晶を用いたもの等が採用可能である。
【００１１】
上記「機械的締結」の具体的な態様は特に限定されるものではなく、例えばネジ締めやクリップ止め等の締結構造が採用可能である。
【発明の効果】
【００１２】
本願発明に係る車両用灯具は、光源からの光を空間光変調器および投影レンズを介して灯具前方へ向けて照射する構成となっているので、空間光変調器において投影レンズに到達する光の空間的な分布を制御することにより、種々の配光パターンを精度良く形成することができる。
【００１３】
その際、本願発明に係る車両用灯具においては、投影レンズを支持するレンズホルダが空間光変調器を支持するブラケットに対して機械的締結により固定されているので、投影レンズおよび空間光変調器の支持が確実に行われるようにすることができる。
【００１４】
その上で、本願第１の発明においては、レンズホルダに、該レンズホルダをブラケットに対して灯具前後方向と直交する方向に位置決めするための位置決め用突起部が形成されるとともに、ブラケットには灯具前後方向に延びる長孔が形成されており、そして、この長孔に位置決め用突起部が挿入された状態で機械的締結による固定が行われているので、次のような作用効果を得ることができる。
【００１５】
すなわち、レンズホルダの位置決め用突起部をブラケットの長孔に挿入して灯具前後方向に適宜移動させた状態で機械的締結による固定を行うことにより、レンズホルダがブラケットに対して灯具前後方向と直交する方向に変位するのを規制した上で、レンズホルダに支持された投影レンズとブラケットに支持された空間光変調器との灯具前後方向の位置関係を微調整することができる。そしてこれにより空間光変調器を投影レンズに対して位置精度良く配置することができる。
【００１６】
また、本願第２の発明においては、ブラケットに、レンズホルダを該ブラケットに対して灯具前後方向と直交する方向に位置決めするための位置決め用突起部が形成されるとともに、レンズホルダには灯具前後方向に延びる長孔が形成されており、そして、この長孔に位置決め用突起部が挿入された状態で機械的締結による固定が行われているので、次のような作用効果を得ることができる。
【００１７】
すなわち、ブラケットの位置決め用突起部をレンズホルダの長孔に挿入して灯具前後方向に適宜移動させた状態で機械的締結による固定を行うことにより、レンズホルダがブラケットに対して灯具前後方向と直交する方向に変位するのを規制した上で、レンズホルダに支持された投影レンズとブラケットに支持された空間光変調器との灯具前後方向の位置関係を微調整することができる。そしてこれにより空間光変調器を投影レンズに対して位置精度良く配置することができる。
【００１８】
このように本願発明によれば、光源からの光を空間光変調器および投影レンズを介して灯具前方へ向けて照射するように構成された車両用灯具において、空間光変調器を投影レンズに対して位置精度良く配置することができる。
【００１９】
上記構成において、位置決め用突起部の具体的な構成として１本の位置決めピンで構成されたものとすることも可能であるが、これを灯具前後方向に間隔をおいて配置された２本の位置決めピンで構成されたものとすれば、位置決め用突起部としての剛性を高めることができる。
【００２０】
上記構成において、位置決め用突起部が灯具前後方向に延びる立壁で構成されたものとすれば、位置決め用突起部としての剛性を、１本の位置決めピンで構成した場合に比して大幅に高めることができる。
【００２１】
上記構成において、位置決め用突起部が長孔の周辺においてブラケットまたはレンズホルダにカシメ固定された構成とすれば、レンズホルダに支持された投影レンズとブラケットに支持された空間光変調器との位置関係を灯具前後方向の微調整が完了した状態のまま維持することが容易に可能となる。その際、上記「カシメ固定」は、熱カシメによるものであってもよいし冷間カシメによるものであってもよい。なお、上記「カシメ固定」の代わりにレーザー溶着等を採用することも可能である。
【００２２】
上記構成において、機械的締結による固定が投影レンズの左右両側の前後２箇所において行われる構成とすれば、投影レンズに対する支持がより確実に行われるようにすることができる。その際、位置決め用突起部および長孔が投影レンズの左右両側の各々における前後２箇所の間にそれぞれ配置された構成とすれば、位置決め用突起部が長孔に挿入された状態を確実に維持することができ、その位置決め機能を高めることができる。
【図面の簡単な説明】
【００２３】
【図１】本願発明の第１実施形態に係る車両用灯具を示す正面図
【図２】図１のII−II線断面図
【図３】図１のIII−III線断面図
【図４】上記車両用灯具のレンズ側サブアッシーを空間光変調器サブアッシーのブラケットと共に示す分解斜視図
【図５】上記第１実施形態の第１および第２変形例を示す、図３と略同様の図であって、（ａ）は第１変形例を示す図、（ｂ）は第２変形例を示す図
【図６】上記第１実施形態の第３および第４変形例を示す、図３と略同様の図であって、（ａ）は第３変形例を示す図、（ｂ）は第４変形例を示す図
【図７】本願発明の第２実施形態に係る車両用灯具を示す、図３と同様の図
【発明を実施するための形態】
【００２４】
以下、図面を用いて、本願発明の実施の形態について説明する。
【００２５】
まず、本願発明の第１実施形態について説明する。
【００２６】
図１は、本願発明の第１実施形態に係る車両用灯具１０を示す正面図であって、その一部を断面図として示している。また、図２は図１のII−II線断面図であり、図３は図１のIII−III線断面図である。
【００２７】
これらの図において、Ｘで示す方向が灯具としての「前方」（車両としても「前方」）であり、Ｙで示す方向が「前方」と直交する「左方向」（車両としても「左方向」であるが灯具正面視では「右方向」）であり、Ｚで示す方向が「上方向」である。これら以外の図においても同様である。
【００２８】
これらの図に示すように、本実施形態に係る車両用灯具１０は、車両の前端部に設けられるヘッドランプであって、図示しないランプボディと透光カバーとで形成される灯室内に組み込まれたプロジェクタ型の灯具ユニットとして構成されている。
【００２９】
この車両用灯具１０は、光源側サブアッシー２０と、空間光変調器サブアッシー３０と、レンズ側サブアッシー６０とを備えた構成となっている。
【００３０】
光源側サブアッシー２０は、光源２２と、この光源２２からの出射光を空間光変調器サブアッシー３０へ向けて反射させるリフレクタ２４と、これらを支持するベース部材２６とを備えた構成となっている。
【００３１】
空間光変調器サブアッシー３０は、空間光変調器３２と、この空間光変調器３２よりも灯具後方側に配置された支持基板３６と、この支持基板３６よりも灯具前方側に配置されたブラケット４０と、空間光変調器３２よりも灯具後方側に配置されたヒートシンク５０とを備えた構成となっている。
【００３２】
レンズ側サブアッシー６０は、車両前後方向に延びる光軸Ａｘを有する投影レンズ６２と、この投影レンズ６２を支持するレンズホルダ６４とを備えた構成となっている。
【００３３】
そして、本実施形態に係る車両用灯具１０は、リフレクタ２４で反射した光源２２からの光を空間光変調器３２および投影レンズ６２を介して灯具前方へ向けて照射することにより、種々の配光パターン（例えば、ロービーム用配光パターンやハイビーム用配光パターンあるいは車両走行状況に応じて変化する配光パターンさらには車両前方路面に文字や記号等を描画する配光パターン等）を精度良く形成し得る構成となっている。
【００３４】
これを実現するため、車両用灯具１０の組立工程においては、光源２２を点灯させて配光パターンを形成した状態で、空間光変調器３２と投影レンズ６２との位置関係を微調整し、その位置関係精度を高めるようになっている。
【００３５】
なお、車両用灯具１０は、空間光変調器サブアッシー３０のブラケット４０またはヒートシンク５０においてランプボディに支持されるようになっている。
【００３６】
次に、光源側サブアッシー２０、空間光変調器サブアッシー３０およびレンズ側サブアッシー６０の各々の具体的な構成について説明する。
【００３７】
まず、光源側サブアッシー２０の構成について説明する。
【００３８】
光源２２は、白色発光ダイオードであって、その発光面を斜め上前方へ向けた状態でベース部材２６に固定支持されている。このベース部材２６は、空間光変調器サブアッシー３０のブラケット４０に固定支持されている。
【００３９】
リフレクタ２４は、光源２２を灯具前方側から覆うようにして配置されており、その周縁部においてベース部材２６に固定支持されている。このリフレクタ２６は、光源２２からの出射光を斜め上後方へ向けて反射させるようになっている。その際、このリフレクタ２４の反射面２４ａは、光源２２からの出射光を、投影レンズ６２の後側焦点Ｆを含む後側焦点面の近傍に収束させるように形成されている。
【００４０】
次に、空間光変調器サブアッシー３０の構成について説明する。
【００４１】
空間光変調器３２は、反射型の空間光変調器であって、複数の微小ミラーがマトリクス状に配置されたデジタルマイクロミラーディバイス（ＤＭＤ）で構成されている。
【００４２】
この空間光変調器３２は、複数の微小ミラーの各々の反射面の角度を制御することによって、該空間光変調器３２に到達した光源２２からの光の反射方向を選択的に切り換え得る構成となっている。具体的には、光源２２からの光を投影レンズ６２へ向けて反射させるモードとそれ以外の方向（すなわち配光パターンの形成に悪影響を及ぼさない方向）へ向けて反射させるモードとが選択されるようになっている。
【００４３】
この空間光変調器３２は、投影レンズ６２の後側焦点Ｆの位置において光軸Ａｘと直交する鉛直面に沿って配置されており、その反射光制御領域３２ａは光軸Ａｘを中心とする横長矩形状の外形形状を有している。
【００４４】
この空間光変調器３２は、その反射光制御領域３２ａを囲む周縁部３２ｂの後面においてソケット３４を介して支持基板３６に支持されている。
【００４５】
ソケット３４は、空間光変調器３２の周縁部３２ｂに沿った横長矩形状のフレーム部材として構成されており、支持基板３６に形成された導電パターン（図示せず）と電気的に接続された状態で該支持基板３６にハンダ付け等によって固定されている。この支持基板３６には、ソケット３４の内周縁形状と略同一形状の開口部３６ａが形成されている。
【００４６】
空間光変調器３２の周縁部３２ｂには、その後面から灯具後方へ向けて突出する複数の端子ピン３２ｃが形成されており、これら複数の端子ピン３２ｃがソケット３４に形成された複数の嵌合孔（図示せず）に嵌め込まれることによりソケット３４と電気的に接続されるようになっている。
【００４７】
空間光変調器３２は、ブラケット４０とヒートシンク５０とによって灯具前後方向両側から支持されている。
【００４８】
ブラケット４０は、金属製（例えばアルミダイカスト製）の部材であって、光軸Ａｘと直交する鉛直面に沿って延びる鉛直面部４０Ａと、この鉛直面部４０Ａの下端縁から灯具前方へ向けて水平面に沿って延びる水平面部４０Ｂとを備えた構成となっている。
【００４９】
鉛直面部４０Ａには、横長矩形状の開口部４０Ａａが光軸Ａｘを中心として形成されている。この開口部４０Ａａは、空間光変調器３２の外周縁形状よりも小さいがその反射光制御領域３２ａよりは大きい横長矩形状の開口形状を有しており、その内周面の前端縁は全周にわたって面取りされている。
【００５０】
この鉛直面部４０Ａの後面には、その開口部４０Ａａの周囲の３箇所に灯具後方側へ突出する円柱状の突起部４０Ａｂが形成されている。そして、ブラケット４０は、３箇所の突起部４０Ａｂの後端面において空間光変調器３２の周縁部３２ｂに対して灯具前方側から当接するようになっている。
【００５１】
水平面部４０Ｂは、リフレクタ２４よりも灯具前方側まで延びるように形成されており、この水平面部４０Ｂにはリフレクタ２４を挿通させるための横長矩形状の開口部４０Ｂａが形成されている。
【００５２】
ヒートシンク５０は、金属製（例えばアルミダイカスト製）の部材であって、光軸Ａｘと直交する鉛直面に沿って延びるように配置されており、その後面には複数の放熱フィン５０ｂが縦縞状に形成されている。
【００５３】
このヒートシンク５０の前面には、灯具前方側へ突出する角柱状の突起部５０ｃが形成されている。この突起部５０ｃは、光軸Ａｘを中心とする横長矩形状の断面形状を有しており、その大きさはソケット３４の内周面形状よりも小さい値に設定されている。そして、この突起部５０ｃは、支持基板３６の開口部３６ａを挿通した状態で、その前端面において空間光変調器３２の中央部（すなわち反射光制御領域３２ａが位置する部分）に対して灯具後方側から当接するようになっている。
【００５４】
空間光変調器サブアッシー３０は、空間光変調器３２の周囲に複数の段付きボルト５２が配置された構成となっている。具体的には、空間光変調器３２の左右両側の上下２箇所に４本の段付きボルト５２が配置された構成となっている。
【００５５】
各段付きボルト５２は、灯具後方側から、ヒートシンク５０に形成されたボルト挿通孔５０ａおよび支持基板３６に形成されたボルト挿通孔３６ｂを挿通するように配置された状態で、その先端の小径部５２ａにおいてブラケット４０に螺着されている。これを実現するため、ブラケット４０には、４本の段付きボルト５２に対応した４箇所に、各段付きボルト５２の小径部５２ａを螺着するためのボス部４０Ａｃが形成されている。
【００５６】
各段付きボルト５２の大径部５２ｂには、ヒートシンク５０を灯具前方側へ向けて弾性的に押圧するためのバネ５４が取り付けられている。各バネ５４は、各段付きボルト５２の頭部５２ｃとヒートシンク５０との間に配置された圧縮コイルバネで構成されている。
【００５７】
このように空間光変調器３２の左右両側の上下２箇所においてヒートシンク５０を灯具前方側へ向けて弾性的に押圧することにより、空間光変調器に無理な荷重を作用させないようにした状態で、その中央部を灯具前方側へ向けて弾性的に押圧するようになっている。そしてこれにより、空間光変調器３２の周縁部３２ｂに形成された複数の端子ピン３２ｃがソケット３４の嵌合孔に適正に嵌め込まれた状態（すなわち空間光変調器３２とソケット３４との電気的接続が確実に行われた状態）を維持するようになっている。
【００５８】
次に、レンズ側サブアッシー６０の構成について説明する。
【００５９】
投影レンズ６２は、光軸Ａｘ上において灯具前後方向に所要間隔をおいて配置された第１および第２レンズ６２Ａ、６２Ｂで構成されている。
【００６０】
灯具前方側に位置する第１レンズ６２Ａは、両凸レンズとして構成されており、灯具後方側に位置する第２レンズ６２Ｂは、灯具後方へ向けて膨らんだ凹メニスカスレンズとして構成されている。その際、これら第１および第２レンズ６２Ａ、６２Ｂは、その上端部が水平面に沿って僅かに切除されるとともにその下部部が水平面に沿って比較的大きく切除された構成となっている。
【００６１】
そして、これら第１および第２レンズ６２Ａ、６２Ｂは、その外周縁部において共通のレンズホルダ６４に支持されている。
【００６２】
このレンズホルダ６４は、金属製（例えばアルミダイカスト製）の部材であって、投影レンズ６２を筒状に囲むように形成されたホルダ本体６４Ａと、このホルダ本体６４Ａの外周面の下端部において水平面に沿って左右両側に張り出すように形成された１対のフランジ部６４Ｂとを備えた構成となっている。
【００６３】
ホルダ本体６４Ａの内周面には、第１および第２レンズ６２Ａ、６２Ｂを位置決めするための突起部６４Ａａが形成されている。一方、左右１対のフランジ部６４Ｂは、いずれも一定の左右幅でレンズホルダ６４の全長にわたって灯具前後方向に延びるようにして平板状に形成されている。
【００６４】
図４は、レンズ側サブアッシー６０を空間光変調器サブアッシー３０のブラケット４０と共に示す分解斜視図である。
【００６５】
同図にも示すように、レンズホルダ６４は、その左右１対のフランジ部６４Ｂにおいて、空間光変調器サブアッシー３０のブラケット４０における水平面部４０Ｂに対して機械的締結により固定されている。この機械的締結による固定はネジ締めによって行われている。
【００６６】
これを実現するため、レンズホルダ６４の各フランジ部６４Ｂには、該フランジ部６４Ｂを上下方向に貫通する前後１対のネジ挿通孔６４Ｂａが形成されている。また、ブラケット４０の水平面部４０Ｂには、ネジ穴４０Ｂｂ１を有する前後１対のボス部４０Ｂｂが下方へ突出するように形成されている。そして、各フランジ部６４Ｂの上方からネジ６６が各ネジ挿通孔６４Ｂａを介して各ボス部４０Ｂｂのネジ穴に螺着されるようになっている。
【００６７】
その際、各ネジ挿通孔６４Ｂａは、各ネジ６６のネジ径よりも大きい左右幅で灯具前後方向に延びる長孔として形成されており、これによりレンズホルダ６４をブラケット４０に対する灯具前後方向の位置を調整した状態でネジ締めを行い得る構成となっている。
【００６８】
レンズホルダ６４の各フランジ部６４Ｂの下面には、前後１対のネジ挿通孔６４Ｂａの前後方向の中央位置において鉛直下方へ向けて突出する位置決めピン６４Ｂｂが形成されている。各位置決めピン６４Ｂｂは、円柱状に形成されており、その先端部は凸曲面状に形成されている。また、各位置決めピン６４Ｂｂのフランジ部２６４Ｂからの下方突出量は、ブラケット４０の水平面部４０Ｂの板厚よりもやや大きい値に設定されている。
【００６９】
一方、ブラケット４０の水平面部４０Ｂには、各位置決めピン６４Ｂｂに対応する位置に該水平面部４０Ｂを上下方向に貫通する長孔４０Ｂｃが形成されている。各長孔４０Ｂｃは、位置決めピン６４Ｂｂの径よりも僅かに大きい左右幅で灯具前後方向に延びる長孔として形成されている。
【００７０】
そして、レンズホルダ６４をブラケット４０に対してネジ締めする際、予め位置決めピン６４Ｂｂを長孔４０Ｂｃに挿入しておくことにより、レンズホルダ６４がブラケット４０に対して左右方向に変位するのを規制した上で、レンズホルダ６４とブラケット４０との灯具前後方向の位置関係を微調整し得るようになっている。これにより、ネジ締め時に発生するトルクによってレンズホルダ６４がブラケット４０に対して不用意に回転しまうのを未然に防止し、空間光変調器３２と投影レンズ６２との位置関係精度を高めるようになっている。
【００７１】
次に本実施形態の作用について説明する。
【００７２】
本実施形態に係る車両用灯具１０は、光源２２からの光を空間光変調器３２および投影レンズ６２を介して灯具前方へ向けて照射する構成となっているので、空間光変調器３２において投影レンズ６２に到達する光の空間的な分布を制御することにより、種々の配光パターンを精度良く形成することができる。
【００７３】
その際、本実施形態に係る車両用灯具１０においては、投影レンズ６２を支持するレンズホルダ６４が空間光変調器３２を支持するブラケット４０に対してネジ締め（すなわち機械的締結）により固定されているので、投影レンズ６２および空間光変調器３２の支持が確実に行われるようにすることができる。
【００７４】
その上で、レンズホルダ６４には該レンズホルダ６４をブラケット４０に対して左右方向（すなわち灯具前後方向と直交する方向）に位置決めするための位置決めピン６４Ｂｂ（すなわ位置決め用突起部）が形成されるとともに、ブラケット４０には灯具前後方向に延びる長孔４０Ｂｃが形成されており、そして、この長孔４０Ｂｃに位置決めピン６４Ｂｂが挿入された状態でネジ締め固定が行われているので、次のような作用効果を得ることができる。
【００７５】
すなわち、レンズホルダ６４の位置決めピン６４Ｂｂをブラケット４０の長孔４０Ｂｃに挿入して灯具前後方向に適宜移動させた状態でネジ締め固定を行うことにより、レンズホルダ６４がブラケット４０に対して左右方向に変位するのを規制した上で、レンズホルダ６４に支持された投影レンズ６２とブラケット４０に支持された空間光変調器３２との灯具前後方向の位置関係を微調整することができる。そしてこれにより空間光変調器３２を投影レンズ６２に対して位置精度良く配置することができる。
【００７６】
このように本実施形態によれば、光源２２からの光を空間光変調器３２および投影レンズ６２を介して灯具前方へ向けて照射するように構成された車両用灯具１０において、空間光変調器３２を投影レンズ６２に対して位置精度良く配置することができる。
【００７７】
その際、本実施形態においては、レンズホルダ６４をブラケット４０に対して左右方向に位置決めするための位置決め用突起部が１本の位置決めピン６４Ｂｂで構成されているので、灯具構成を簡素なものとすることができる。
【００７８】
また本実施形態においては、ネジ締め固定が投影レンズ６２の左右両側の前後２箇所において行われる構成となっているので、投影レンズ６２に対する支持が確実に行われるようにすることができる。しかもその際、位置決めピン６４Ｂｂおよび長孔４０Ｂｃが投影レンズ６２の左右両側の各々における前後２箇所の間にそれぞれ配置されているので、各位置決めピン６４Ｂｂが各長孔４０Ｂｃに挿入された状態を確実に維持することができ、その位置決め機能を高めることができる。
【００７９】
上記第１実施形態においては、リフレクタ２６で反射した光源２２からの出射光を空間光変調器３２で反射させる構成となっているが、レンズ等によって偏向制御した光源２２からの出射光を空間光変調器３２で反射させる構成や光源２２からの出射光を直接空間光変調器３２で反射させる構成を採用することも可能である。
【００８０】
上記第１実施形態においては、空間光変調器３２が反射型の空間光変調器で構成されているものとして説明したが、透過型の空間光変調器で構成された構成とすることも可能である。
【００８１】
次に、上記第１実施形態の変形例について説明する。
【００８２】
まず、上記第１実施形態の第１変形例について説明する。
【００８３】
図５は、本変形例に係る車両用灯具１１０の要部を示す、図３と同様の図である。
【００８４】
同図に示すように、この車両用灯具１１０の基本的な構成は上記第１実施形態に係る車両用灯具１０と同様であるが、レンズ側サブアッシー１６０のレンズホルダ１６４と空間光変調器サブアッシーのブラケット１４０との位置決め構造が上記第１実施形態の場合と一部異なっている。
【００８５】
すなわち、本変形例のレンズホルダ１６４も、ホルダ本体１６４Ａの外周面の下端部において水平面に沿って左右両側に張り出すように形成された１対のフランジ部１６４Ｂを備えており、各フランジ部１６４Ｂの前後２箇所においてブラケット１４０の水平面部１４０Ｂにネジ締め固定されている。
【００８６】
その上で本変形例においては、レンズホルダ１６４の各フランジ部１６４Ｂに、前後１対の位置決めピン１６４Ｂｂが形成されるとともに、ブラケット１４０の水平面部１４０Ｂに、該水平面部１４０Ｂを上下方向に貫通する単一の長孔１４０Ｂｃが形成された構成となっている。
【００８７】
長孔１４０Ｂｃは、前後１対のボス部１４０Ｂｂの間においてその略全長にわたって灯具前後方向に長く延びるように形成されており、その左右幅は上記第１実施形態の長孔４０Ｂｃと同じ値に設定されている。
【００８８】
一方、前後１対の位置決めピン１６４Ｂｂは、互いに灯具前後方向に離れた状態で長孔１４０Ｂｃの前端縁および後端縁から離れた位置に形成されている。各位置決めピン１６４Ｂｂは、上記第１実施形態の位置決めピン６４Ｂｂと同様の構成を有している。
【００８９】
本変形例においても、ホルダ本体１６４Ａの左右両側の前後２箇所においてネジ締め固定が行われる際、各フランジ部１６４Ｂの長孔１４０Ｂｃに前後１対の位置決めピン１６４Ｂｂが挿入された状態としておくことによって、レンズホルダ１６４がブラケット１４０に対して左右方向に変位するのを規制した上で、レンズホルダ１６４に支持された投影レンズ６２とブラケット１４０に支持された空間光変調器（図示せず）との灯具前後方向の位置関係を微調整することができる。
【００９０】
しかも本変形例においては、レンズホルダ１６４をブラケット１４０に対して位置決めするための位置決め用突起部が、レンズホルダ１６４の各フランジ部１６４Ｂに形成された前後１対の位置決めピン１６４Ｂｂで構成されているので、レンズホルダ１６４をブラケット１４０に対して左右方向のみならず鉛直軸線回りの回転方向に関しても効果的に位置決めすることができ、かつ、位置決め位置決め用突起部としての剛性を上記第１実施形態の場合に比して高めることができる。
【００９１】
次に、上記第１実施形態の第２変形例について説明する。
【００９２】
図５（ｂ）は、本変形例に係る車両用灯具２１０の要部を示す、図３と同様の図である。
【００９３】
同図に示すように、この車両用灯具２１０の基本的な構成は上記第１実施形態に係る車両用灯具１０と同様であるが、レンズ側サブアッシー２６０のレンズホルダ２６４と空間光変調器サブアッシーのブラケット２４０との位置決め構造が上記第１実施形態の場合と一部異なっている。
【００９４】
すなわち本変形例においても、レンズホルダ２６４は、ホルダ本体２６４Ａの外周面の下端部において水平面に沿って左右両側に張り出すように形成された１対のフランジ部２６４Ｂを備えており、その左右１対のフランジ部２６４Ｂの前後２箇所においてブラケット２４０の水平面部２４０Ｂにネジ締め固定されている。
【００９５】
その上で本変形例においては、レンズホルダ２６４の各フランジ部２６４Ｂに、灯具前後方向に延びる立壁２６４Ｂｂが形成されるとともに、ブラケット２４０の水平面部２４０Ｂに、該水平面部２４０Ｂを上下方向に貫通する単一の長孔２４０Ｂｃが形成された構成となっている。
【００９６】
長孔２４０Ｂｃは、前後１対のボス部２４０Ｂｂの間においてその略全長にわたって灯具前後方向に長く延びるように形成されており、その左右幅は上記第１実施形態の長孔４０Ｂｃと同じ値に設定されている。
【００９７】
一方、立壁２６４Ｂｂは、長孔２４０Ｂｃにおいてその前端縁および後端縁から離れた状態で形成されている。この立壁２６４Ｂｂは、その左右幅が上記第１実施形態の位置決めピン６４Ｂｂの径と同じ値に設定されており、そのフランジ部２６４Ｂからの下方突出量も上記第１実施形態の位置決めピン６４Ｂｂと同じ値に設定されている。
【００９８】
本変形例においても、ホルダ本体２６４Ａの左右両側の前後２箇所においてネジ締め固定が行われる際、各フランジ部２６４Ｂの長孔２４０Ｂｃに立壁２６４Ｂｂが挿入された状態としておくことによって、レンズホルダ２６４がブラケット２４０に対して左右方向に変位するのを規制した上で、レンズホルダ２６４に支持された投影レンズ６２とブラケット２４０に支持された空間光変調器（図示せず）との灯具前後方向の位置関係を微調整することができる。
【００９９】
しかも本変形例においては、レンズホルダ２６４をブラケット２４０に対して位置決めするための位置決め用突起部が、レンズホルダ２６４の各フランジ部２６４Ｂに形成された灯具前後方向に延びる立壁２６４Ｂｂで構成されているので、レンズホルダ２６４をブラケット２４０に対して左右方向のみならず鉛直軸線回りの回転方向に関しても効果的に位置決めすることができ、かつ、その位置決め位置決め用突起部としての剛性を上記第１実施形態の場合に比して大幅に高めることができる。
【０１００】
次に、上記第１実施形態の第３変形例について説明する。
【０１０１】
図６（ａ）は、本変形例に係る車両用灯具３１０の要部を示す、図３と同様の図である。
【０１０２】
同図に示すように、この車両用灯具３１０の基本的な構成は上記第１実施形態に係る車両用灯具１０と同様であるが、レンズ側サブアッシー３６０のレンズホルダ３６４と空間光変調器サブアッシーのブラケット３４０との位置決め構造が上記第１実施形態の場合と一部異なっている。
【０１０３】
すなわち、本変形例のブラケット３４０は、上記第１実施形態のブラケット４０と同様の構成を有しており、その水平面部３４０Ｂには上記第１実施形態の長孔４０Ｂｃと同様の長孔３４０Ｂｃが形成されている。
【０１０４】
一方、本変形例のレンズホルダ３６４は、合成樹脂製（例えばポリカーボネート樹脂製）の部材として構成されている。このレンズホルダ３６４のホルダ本体３６４Ａの形状および位置決めピン３６４Ｂｂの基本的な形状は上記第１実施形態の場合と同様であるが、位置決めピン３６４Ｂｂが図中２点鎖線で示すように上記第１実施形態の位置決めピン６４Ｂｂよりも長尺に形成されており、かつ、その先端部が熱カシメによって長孔３４０Ｂｃの周辺においてブラケット３４０の水平面部３４０Ｂにカシメ固定されている。
【０１０５】
その際、本変形例においては、位置決めピン３６４Ｂｂの先端部を熱カシメによって長孔３４０Ｂｃの周辺において水平面部３４０Ｂの下面に係合させるようになっている。
【０１０６】
本変形例の構成を採用することにより、レンズホルダ３６４に支持された投影レンズ６２とブラケット３４０に支持された空間光変調器（図示せず）との位置関係を、灯具前後方向の微調整が完了した状態のまま維持することが容易に可能となる。
【０１０７】
本変形例において、位置決めピン３６４Ｂｂのカシメ固定は、ネジ締め固定が完了した後に行ってもよいしその完了前に行ってもよいが、ネジ締め固定の完了前に行う際には、灯具前後方向の微調整が完了した後に治具等を用いてレンズホルダ３６４とブラケット３４０との位置関係を固定した状態でカシメ固定を行うことが好ましい。
【０１０８】
上記第３変形例においては、合成樹脂製のレンズホルダ３６４の位置決めピン３６４Ｂｂが熱カシメによってブラケット３４０の水平面部３４０Ｂにカシメ固定されているものとして説明したが、レンズホルダ３６４を金属製の部材として構成した上で、その位置決めピン３６４Ｂｂが冷間カシメによってブラケット３４０の水平面部３４０Ｂにカシメ固定される構成とすることも可能である。
【０１０９】
次に、上記第１実施形態の第４変形例について説明する。
【０１１０】
図６（ｂ）は、本変形例に係る車両用灯具４１０の要部を示す、図３と同様の図である。
【０１１１】
同図に示すように、この車両用灯具４１０の基本的な構成は上記第３変形例に係る車両用灯具３１０と同様であるが、位置決めピン４６４Ｂｂの先端部のカシメ固定の態様が上記第３変形例の場合と一部異なっている。
【０１１２】
すなわち本変形例においても、位置決めピン４６４Ｂｂの先端部が熱カシメにより長孔４４０Ｂｃの周辺においてブラケット４４０の水平面部４４０Ｂにカシメ固定されているが、熱カシメの際の押圧力を大きくすることによって、位置決めピン４６４Ｂｂの先端部が長孔４４０Ｂｃの周辺において水平面部４４０Ｂの下面に係合するとともに位置決めピン４６４Ｂｂの途中部分が熱変形によって長孔４４０Ｂｃの内部に充填された状態でカシメ固定が行われるようになっている。
【０１１３】
本変形例の構成を採用することにより、レンズホルダ４６４に支持された投影レンズ６２とブラケット４４０に支持された空間光変調器（図示せず）との位置関係を、灯具前後方向の微調整が完了した状態のまま維持することが一層容易に可能となる。
【０１１４】
本変形例においても、位置決めピン４６４Ｂｂのカシメ固定は、ネジ締め固定が完了した後に行ってもよいしその完了前に行ってもよいが、ネジ締め固定の完了前に行う際には、灯具前後方向の微調整が完了した後に治具等を用いてレンズホルダ４６４とブラケット４４０との位置関係を固定した状態でカシメ固定を行うことが好ましい。
【０１１５】
次に、本願発明の第２実施形態について説明する。
【０１１６】
図７は、本願発明の第２実施形態に係る車両用灯具５１０を示す、図３と同様の図である。
【０１１７】
同図に示すように、この車両用灯具５１０の基本的な構成は上記第１実施形態に係る車両用灯具１０と同様であるが、レンズ側サブアッシー５６０のレンズホルダ５６４と空間光変調器サブアッシー５３０のブラケット５４０との位置決め構造が上記第１実施形態の場合と一部異なっている。
【０１１８】
すなわち、本実施形態のレンズホルダ５６４も、ホルダ本体５６４Ａの外周面の下端部において水平面に沿って左右両側に張り出すように形成された１対のフランジ部５６４Ｂを備えており、各フランジ部５６４Ｂの前後２箇所においてブラケット５４０の水平面部５４０Ｂにネジ締め固定されている。
【０１１９】
本実施形態においても、レンズホルダ５６４の各フランジ部５６４Ｂには、該フランジ部５６４Ｂを上下方向に貫通する前後１対のネジ挿通孔５６４Ｂａが形成されている。また、ブラケット５４０の水平面部５４０Ｂには、ネジ穴を有する前後１対のボス部５４０Ｂｂが下方へ突出するように形成されている。そして、各フランジ部５６４Ｂの上方からネジ６６が各ネジ挿通孔５６４Ｂａを介して各ボス部５４０Ｂｂのネジ穴に螺着されるようになっている。
【０１２０】
その際、各ネジ挿通孔５６４Ｂａは、各ネジ６６のネジ径よりも大きい左右幅で灯具前後方向に延びる長孔として形成されており、これによりレンズホルダ５６４をブラケット５４０に対する灯具前後方向の位置を調整した状態でネジ締めを行い得る構成となっている。
【０１２１】
ブラケット５４０の水平面部５４０Ｂの上面には、前後１対のボス部５４０Ｂｂの前後方向の中央位置において鉛直上方へ向けて突出する位置決めピン５４０Ｂｄが形成されている。各位置決めピン５４０Ｂｄは、円柱状に形成されており、その先端部は凸曲面状に形成されている。また、各位置決めピン５４０Ｂｄの水平面部５４０Ｂからの上方突出量は、レンズホルダ５６４の各フランジ部５６４Ｂの板厚よりもやや大きい値に設定されている。
【０１２２】
一方、レンズホルダ５６４の各フランジ部５６４Ｂには、各位置決めピン５４０Ｂｄに対応する位置に該フランジ部５６４Ｂを上下方向に貫通する長孔５６４Ｂｃが形成されている。各長孔５６４Ｂｃは、位置決めピン５４０Ｂｄの径よりも僅かに大きい左右幅で灯具前後方向に延びる長孔として形成されている。
【０１２３】
そして、レンズホルダ６４をブラケット４０に対してネジ締めする際、予め位置決めピン５４０Ｂｄを長孔５６４Ｂｃに挿入しておくことにより、レンズホルダ５６４がブラケット５４０に対して左右方向に変位するのを規制した上で、レンズホルダ５６４とブラケット５４０との灯具前後方向の位置関係を微調整し得るようになっている。これにより、ネジ締め時に発生するトルクによってレンズホルダ５６４がブラケット５４０に対して不用意に回転しまうのを未然に防止し、空間光変調器３２と投影レンズ６２との位置関係精度を高めるようになっている。
【０１２４】
次に本実施形態の作用について説明する。
【０１２５】
本実施形態に係る車両用灯具５１０においても、投影レンズ６２を支持するレンズホルダ５６４が空間光変調器３２を支持するブラケット５４０に対してネジ締め（すなわち機械的締結）により固定されているので、投影レンズ６２および空間光変調器３２の支持が確実に行われるようにすることができる。
【０１２６】
その上で、ブラケット５４０には、レンズホルダ５６４を該ブラケット５４０に対して左右方向（すなわち灯具前後方向と直交する方向）に位置決めするための位置決めピン５４０Ｂｄ（すなわ位置決め用突起部）が形成されるとともに、レンズホルダ５６４には灯具前後方向に延びる長孔５６４Ｂｃが形成されており、そして、この長孔５６４Ｂｃに位置決めピン５４０Ｂｄが挿入された状態でネジ締め固定が行われているので、次のような作用効果を得ることができる。
【０１２７】
すなわち、ブラケット５４０の位置決めピン５４０Ｂｄをレンズホルダ５６４の長孔５６４Ｂｃに挿入して灯具前後方向に適宜移動させた状態で機械的締結による固定を行うことにより、レンズホルダ５６４がブラケット５４０に対して左右方向に変位するのを規制した上で、レンズホルダ５６４に支持された投影レンズ６２とブラケット５４０に支持された空間光変調器３２との灯具前後方向の位置関係を微調整することができる。そしてこれにより空間光変調器３２を投影レンズ６２に対して位置精度良く配置することができる。
【０１２８】
その際、本実施形態においても、レンズホルダ５６４をブラケット５４０に対して左右方向に位置決めするための位置決め用突起部が１本の位置決めピン５６４Ｂｂで構成されているので、灯具構成を簡素なものとすることができる。
【０１２９】
本実施形態の構成に対して、上記第１実施形態の第１〜第４変形例の構成を適用することも可能であり、このようにした場合には上記第１実施形態の第１〜第４変形例と同様の作用効果を得ることができる。
【０１３０】
なお、上記第１実施形態およびその変形例ならびに上記第２実施形態において諸元として示した数値は一例にすぎず、これらを適宜異なる値に設定してもよいことはもちろんである。
【０１３１】
また本願発明は、上記第１実施形態およびその変形例ならびに上記第２実施形態に記載された構成に限定されるものではなく、これ以外の種々の変更を加えた構成が採用可能である。
【符号の説明】
【０１３２】
１０、１１０、２１０、３１０、４１０、５１０  車両用灯具
２０  光源側サブアッシー
２２  光源
２４  リフレクタ
２４ａ  反射面
２６  ベース部材
３０、５３０  空間光変調器サブアッシー
３２  空間光変調器
３２ａ  反射光制御領域
３２ｂ  周縁部
３２ｃ  端子ピン
３４  ソケット
３６  支持基板
３６ａ  開口部
３６ｂ  ボルト挿通孔
４０、１４０、２４０、３４０、４４０、５４０  ブラケット
４０Ａ  鉛直面部
４０Ａａ、４０Ｂａ  開口部
４０Ａｂ  突起部
４０Ａｃ、４０Ｂｂ、１４０Ｂｂ、２４０Ｂｂ、５４０Ｂｂ  ボス部
４０Ｂ、１４０Ｂ、２４０Ｂ、３４０Ｂ、４４０Ｂ、５４０Ｂ  水平面部
４０Ｂｂ１  ネジ穴
４０Ｂｃ、１４０Ｂｃ、２４０Ｂｃ、３４０Ｂｃ、４４０Ｂｃ、５６４Ｂｃ  長孔
５０  ヒートシンク
５０ａ  ボルト挿通孔
５０ｂ  放熱フィン
５０ｃ  突起部
５２  段付きボルト
５２ａ  小径部
５２ｂ  大径部
５２ｃ  頭部
５４  バネ
６０、１６０、２６０、３６０、５６０  レンズ側サブアッシー
６２  投影レンズ
６２Ａ  第１レンズ
６２Ｂ  第２レンズ
６４、１６４、２６４、３６４、５６４  レンズホルダ
６４Ａ、１６４Ａ、２６４Ａ、３６４Ａ、５６４Ａ  ホルダ本体
６４Ａａ  突起部
６４Ｂ、１６４Ｂ、２６４Ｂ、５６４Ｂ  フランジ部
６４Ｂａ、５６４Ｂａ  ネジ挿通孔
６４Ｂｂ、１６４Ｂｂ、３６４Ｂｂ、４６４Ｂｂ、５４０Ｂｄ  位置決めピン（位置決め用突起部）
６６  ネジ
２６４Ｂｂ  立壁（位置決め用突起部）
Ａｘ  光軸
Ｆ  後側焦点
【図１】
2019185971.tif 000003
【図２】
2019185971.tif 000004
【図３】
2019185971.tif 000005
【図４】
2019185971.tif 000006
【図５】
2019185971.tif 000007
【図６】
2019185971.tif 000008
【図７】
2019185971.tif 000009